(57)【要約】【課題】使用者側での超音波処置する超音波処置具の内視鏡の先端部への位置決め作業を不要とすることができる超音波処置装置を提供する。【解決手段】内視鏡２の挿入部１３には処置具を挿通可能とするチャンネル４が設けてあり、挿入部１３の先端部２１の孔部３２に連通し、この孔部３２内には超音波処置具を構成する超音波振動子３５が締結固定されたフランジ部３６をナット３７で螺着により固定され、またこのフランジ部３６の前面側には孔部３２から突出し、対物光学系２６の観察視野に、その先端の処置部が入るようにホーン４０が連結され、使用者は超音波処置具を先端部２１に位置決め固定などやチャンネル４内への挿通作業を行うことなく超音波処置具で超音波処置ができる構造にした。【選択図】　図１
2004000336.tif 000002
【特許請求の範囲】
【請求項１】
被検体に挿入可能な長尺の挿入部を有する内視鏡と、
超音波振動を発生する超音波振動子と、
前記超音波振動子で発生する超音波振動を伝達可能に前記超音波振動子と結合されると共に、前記被検体に対して処置可能に前記挿入部から突出する突出部を有する振動伝達手段と、
前記挿入部の先端部に設けられ、前記超音波振動子及び前記振動伝達手段からなる超音波振動ユニットを保持可能な保持手段と、
を備えることを特徴とする超音波処置装置。
【請求項２】
被検体に挿入可能な長尺の挿入部を有する内視鏡と、
超音波振動を発生する超音波振動子と、
前記超音波振動子で発生する超音波振動を伝達可能に前記超音波振動子と結合されると共に、前記被検体に対して処置可能に前記挿入部から突出する突出部を有する超音波プローブと、
前記挿入部の先端部に設けられ、前記超音波プローブの先端部が前記挿入部から突出するように前記超音波プローブを保持可能な保持手段と、
を備えることを特徴とする超音波処置装置。
【請求項３】
前記超音波プローブは、前記超音波振動子に固定される超音波振動伝達手段と、前記超音波振動伝達手段と結合すると共に前記挿入部から突出して前記被検体に対して処置を施すことが可能な処置部とからなることを特徴とする請求項２記載の超音波処置装置。
【請求項４】
前記超音波プローブの突出部は、前記被検体に対して処置を施すことが可能な処置部を含むことを特徴とする請求項２記載の超音波処置装置。
【請求項５】
前記保持手段は、前記超音波振動子の振動に基づいて生じる前記超音波振動の節部を保持することを特徴とする請求項１乃至４に記載された何れか一つの超音波処置装置。
【発明の詳細な説明】
【０００１】
【発明の属する技術分野】
本発明は超音波による処置が可能な超音波処置装置に関する。
【０００２】
【従来の技術】
従来技術として、特開昭６２−２９９２５１、特開２００１−３７７６８には、手元の操作部に超音波振動子を内蔵したハンドピースに超音波処置用プローブを装着し、内視鏡のチャンネル内に超音波処置用プローブを挿入して、内視鏡観察直下に超音波処置を行う技術が示されている。
特開昭６２−２９９２５１では軟性内視鏡との組み合わせ、特開２００１−３７７６８では硬性内視鏡との組み合わせが開示されている。このような装置では、内視鏡観察下で確実かつ安全に処置を行うために、内視鏡の視野内に超音波プローブが見える位置に配置する操作を行っている。
【０００３】
一方、特開２００１−３７７６８に示されているが、内視鏡のチャンネルと超音波処置用のプローブが干渉しないようにするため、軸確保手段が振動の節位置に相当する箇所に設けられている。
特開昭６２−２９９２５１ではこの点の技術は示されていないが、超音波振動によるチャンネルとの摩擦による摩耗や超音波プローブの破断防止には必要な技術であることは公知である。
【０００４】
これらの軸確保手段は、内視鏡のチャンネル内面もしくはプローブ外表面に設けることになるが、内視鏡チャンネル内面に設けることは加工技術的に非常に困難なため、プローブ外表面に設けられるのが一般的である。
また、特開昭６２−２９９２５１では内視鏡の先端湾曲に追従できるよう、超音波プローブの先端は湾曲可能に形成されているが、内視鏡のチャンネル内に挿入する必要性から、構成上、柔軟な素材で形成されていることは周知の通りである。
【０００５】
【発明が解決しようとする課題】
従来技術に示されたように、術前および／または術中に、内視鏡のチャンネル内に細長い超音波プローブを挿入する場合、内視鏡の視野内に超音波プローブを確実に配置する作業は非常に難しく且つ煩雑であるという問題がある。
【０００６】
また、一般的に超音波プローブは細長いもので、超音波による機械的振動をする道具のため、取り扱いに注意を要する道具であり、術前および／または術中に、超音波プローブを挿入する作業は、術者および／または器材出し担当者等の使用者にストレスを与えるという問題がある。
【０００７】
特に、軟性内視鏡へ挿入するための超音波プローブはある程度柔軟性を有している必要があるため、軸確保手段の摺動抵抗を受けながら挿入する作業は困難であるという問題がある。
さらに、軟性内視鏡と組み合わせて使用する超音波プローブは内視鏡を湾曲させた状態にて超音波発振を行うため、軟性内視鏡の先端湾曲部に対応した部分以外においても超音波プローブにかかる振動的応力は大きく、耐性面が劣る問題がある。
【０００８】
【発明の目的】
本発明は、使用者側での超音波処置する超音波プローブ等の超音波処置具の内視鏡の先端部への位置決め作業を不要とすることができる超音波処置装置を提供するこを目的とする。
より具体的には、使用者側での超音波処置具の内視鏡の先端部の観察光学系の視野内への位置決め作業を不要とすることにより、挿入作業による術者などへのストレスを回避できると共に、耐久性が良く、従って信頼性の高い超音波処置装置を提供することを目的とする。
【０００９】
【課題を解決するための手段】
被検体に挿入可能な長尺の挿入部を有する内視鏡と、
超音波振動を発生する超音波振動子と、
前記超音波振動子で発生する超音波振動を伝達可能に前記超音波振動子と結合されると共に、前記被検体に対して処置可能に前記挿入部から突出する突出部を有する振動伝達手段と、
前記挿入部の先端部に設けられ、前記超音波振動子及び前記振動伝達手段からなる超音波振動ユニットを保持可能な保持手段と、
を設けたことにより、使用者側での超音波処置具に相当する超音波振動ユニットの内視鏡の先端部への位置決め作業を不要にし、挿入作業による術者などへのストレスを回避できるようにしている。
【００１０】
【発明の実施の形態】
以下、図面を参照して本発明の実施の形態を説明する。
（第１の実施の形態）
図１及び図２は本発明の第１の実施の形態に係り、図１は第１の実施の形態を装着した超音波処置装置の構成を示し、図２（Ａ）は図１の先端部の拡大図を示し、図２（Ｂ）は先端部の正面図を示す。本実施の形態の目的は超音波プローブの内視鏡への挿入作業の煩雑さ、ストレスを解消し、耐久性と信頼性の高い超音波処置装置を提供することである。
【００１１】
図１に示す内視鏡観察下で超音波による処置を行う機能を備えた超音波処置装置１は、内視鏡観察を行う内視鏡（本体）２と、この内視鏡２に照明光を供給する光源装置３と、内視鏡２のチャンネル４に組み込まれる超音波プローブユニット５と、この超音波プローブユニット５の後端から延出される軟性の信号ケーブル６の端部に設けた電気コネクタ７が着脱自在に接続され、超音波を発生するための超音波駆動信号を発生する超音波駆動装置８と、超音波プローブユニット５の後端から延出された軟性のチューブ９の後端の口金１０が着脱自在に接続され、処置した組織を吸引回収する吸引装置１１とから構成される。
【００１２】
この内視鏡２は例えば軟性内視鏡であり、細長で可撓生を有する挿入部１３と、この挿入部１３の後端に設けられた太幅の操作部１４と、この操作部１４の後端に設けられた接眼部１５と、この操作部１４の側部から延出されたライトガイドケーブル１６とを有し、このライトガイドケーブル１６の端部に設けた口金１７は光源装置３に着脱自在に接続される。
【００１３】
この内視鏡２には、以下で説明する通常の内視鏡の機能の他に、チャンネル４内に超音波による処置を行う超音波処置具としての超音波プローブユニット（超音波振動ユニット）５を位置決め状態で組み込むことにより、超音波処置する機能を備えた内視鏡本体、つまり超音波処置装置本体１８を形成している。
【００１４】
内視鏡２の挿入部１３は硬質の先端部２１と、この先端部２１の後端に設けられた湾曲自在の湾曲部２２と、この湾曲部２２の後端から操作部１４の前端に至る長尺で可撓性を有する可撓部２３とを有する。
【００１５】
上記光源装置３は図示しないランプを内蔵し、そのランプの照明光が口金１７の内側のライトガイド端面に供給され、ライトガイド端面に供給された照明光はライトガイドケーブル１６内部のライトガイド２４や操作部１４からさらに挿入部１３内部に挿通されたライトガイドにより伝送される。
【００１６】
このライトガイドは挿入部１３内部で２本に分岐され、そのライトガイドの先端は先端部２１の観察窓の内側で固定されている。そして、伝送した照明光をその先端面から、さらに先端面に対向配置した図２（Ｂ）に示す照明光学系２５を経て、その前方側に拡開して出射され、体腔内における患部等の被写体側を照明する。
【００１７】
図２（Ｂ）に示すように先端部本体２８には、両側に配置した照明光学系２５の中央には対物光学系（観察光学系）２６が配置され、照明光学系２５を介して照明された被写体をこの対物光学系２６により結像する。この対物光学系２６の結像位置には図２（Ａ）及び図１に示すようにイメージガイド２７の先端面が口金を介して先端部本体２８の孔部に固定されている。
【００１８】
そして、このイメージガイド２７により、このイメ−ジガイド２７の後端面に光学像を伝送する。このイメージガイド２７の後端面は接眼部１５の前端付近に固定され、接眼部１５の図示しない接眼光学系を介して伝送された光学像を拡大観察することができるようにしている。
【００１９】
図１或いは図２（Ａ）に示すように先端部本体２８の後端外周にはリング形状の最先端の湾曲駒２９が固定され、この湾曲駒２９の後端には、次段の湾曲駒２９が回動自在に連結され、さらにその後端には湾曲駒が回動自在に連結されるという具合にして、複数の湾曲駒２９を回動自在に連結して湾曲部２２が形成されている。
【００２０】
この湾曲部２２は操作部１４に設けた図示しない湾曲操作ノブを操作することにより、所望の方向に湾曲することができる。
なお、硬質の先端部長は先端部本体２８の前端から最先端の湾曲駒２９の後端までの長さとなる。
また、湾曲駒２９の外周側はゴムチューブ等の外皮チューブ３０で覆われている。
【００２１】
挿入部１３内に挿通した中空の軟性チューブ３１によりチャンネル４が形成されている。この軟性チューブ３１の前端は先端部本体２８に形成したチャンネル出口に相当する孔部３２の後端に連結固定されている。
【００２２】
また、チャンネル４の後端側は挿入部１３の後端或いは操作部１４の前端付近のチャンネル挿入口３３と連通している。
【００２３】
本実施の形態では、この内視鏡２の挿入部１３内に設けたチャンネル４内に超音波プローブユニット５を組み込んで、通常の内視鏡の機能の他に、超音波による処置を行う機能を備えた超音波処置装置本体１８を形成している。
具体的には、挿入部１３における先端部本体２８のチャンネル出口に相当する孔部３２内に、超音波プローブユニット５における超音波を発生する超音波振動子３５を取り付けた円板形状のフランジ部３６を収納してナット３７で締め付けて水密的にかつ位置決めして固定（保持）している。
【００２４】
超音波振動子３５は、例えば複数枚の円板形状のランジュバン形振動子を積層して、フランジ部３６と締め付け部材３８との間に配置し、ボルト等により締め付けてフランジ部３６に締結状態で取り付け、この超音波振動子３５を取り付けたフランジ部３６を孔部３２にはめ込み、外周面にネジ部を形成したナット３７を締め付けて、位置決め固定できるようにしている。
【００２５】
この場合、拡径にされたフランジ部３６は孔部３２内壁内に嵌合し、かつ段差面に当接し、その段差面の前部側の内周面に形成されたネジ孔に螺合するネジ部を外周面に設けたナット３７で締め付けることで水密的にかつ位置決めして固定され、背面側の超音波振動子３５側に水分が侵入しない構造にしている。
【００２６】
また、このフランジ部３６の前面には振動の振幅を拡大して先端部に伝達するように後端面付近がその前部側の断面サイズより円錐形にして大きくした超音波伝達手段としてのホーン（或いはプローブ）４０の後端面が接合などにより固着されている。
【００２７】
そして、このホーン４０により、その面積サイズを小さくした先端部に超音波振動を伝達し、先端部を処置対象組織に当接させて破砕等の処置を行えるようにしている。つまり、ホーン４０の先端部は超音波による処置を行う処置部となっている。
【００２８】
超音波振動子３５で発生した超音波振動を先端部で効率良く振動させることができるように、超音波振動子３５から振動伝達部材の機能を持つホーン４０の先端までの長さは、使用する超音波振動の周波数に対してその１／４波長となるように（ホーン４０の長さを調整）設定している。
【００２９】
この場合、ホーン４０の後端のフランジ部３６は振動の節部となり、ホーン４０の先端は振動の腹部となるようにしている。
本実施の形態では、図１或いは図２（Ａ）に示すようにホーン４０の先端側が対物光学系２６の観察視野内に入るように対物光学系２６に隣接するチャンネル出口に相当する孔部３２に超音波振動子３５等を配置している。
【００３０】
また、締め付け部材３８、超音波振動子３５、フランジ部３６及びホーン４０は中空構造にして、ホーン４０の先端で破砕等の処置を行った不要な組織等を吸引する吸引管路４１を形成している。
この吸引管路４１は締め付け部材３８の口金部に接続固定されたチューブ９に連通している。このチューブ９はチャンネル４内を挿通され、チャンネル挿入口３３から外部に延出される。
【００３１】
また、超音波振動子３５はその表面の電極に信号ケーブル６が接続されている。なお、超音波振動子３５の付近では信号ケーブル６の各信号線と接続される。チャンネル４内を挿通された信号ケーブル６は、チャンネル挿入口３３から外部に延出される。
【００３２】
そして、信号ケーブル６の後端の電気コネクタ７を超音波駆動装置８に接続し、図示しないフットスイッチなどを操作することにより、超音波駆動装置８から駆動信号を超音波振動子３５に印加し、超音波振動子３５で超音波を発生させることができるようにしている。
【００３３】
このように本実施の形態では、超音波プローブユニット５における超音波振動系部分を挿入部１３における硬質の先端部長の内部のチャンネル４内部に配置して、水密的にかつ位置決め固定するように内視鏡２に予め組み込んだ構成にしていることが特徴となっており（但し、ホーン４０の先端側は観察視野内に入るように先端部２１から突出している）、この構成にすることにより、ユーザ側では超音波プローブユニットをチャンネル内に挿通し、かつ処置部を視野内で観察できるように位置決めする等の煩わしい作業を不要にできるようにしている。
【００３４】
また、本実施の形態では、通常の内視鏡におけるチャンネルの先端部の構成を少し変形した構成にすることで、本実施の形態の超音波プローブユニット５を組み込んだ内視鏡２（或いは、超音波処置装置本体１８）を実現できるようにしている。
【００３５】
つまり、図１において、超音波振動子３５等を固定したチャンネル出口に相当する孔部３２にネジ孔を形成しないで超音波振動子３５等を外すと共に、チューブ９等もチャンネル４から外すと、チャンネルを備えた通常の内視鏡となり、従って本実施の形態は通常の内視鏡から簡単に超音波処置機能を備えた超音波処置装置本体１８を製造することができ、従って、その製造コストを下げることができるようにしている。
【００３６】
次に本実施の形態の作用を説明する。
体腔内に内視鏡２の挿入部１３を挿入し、接眼部１５から観察しながら超音波による処置を行おうとする処置部位にホーン４０の先端部を配置する。そして、図示しない超音波発生操作手段（例えばフットスイッチやハンドスイッチ）を操作し、超音波駆動装置８から駆動信号を超音波振動子３５に印加することにより、超音波振動子３５で機械的振動に変換されて超音波振動となり、ホーン４０の先端部側に伝達され、内視鏡観察下で超音波振動により生体組織の破砕／乳化等の処置を行う。
【００３７】
また、吸引装置１１を作動させることにより、破砕／乳化した不要な組織を吸引回収することができる。
つまり、本実施の形態では、超音波プローブユニット５が内視鏡２に予め組み込まれているので、ユーザ側は術前等に超音波プローブユニットを組み込む作業が不要となる。
【００３８】
本実施の形態は以下の効果を有する。
本実施の形態によれば、従来例における内視鏡の観察視野内に超音波プローブの先端部が臨むように配置する作業や、チャンネル内に超音波プローブを挿通する煩雑な作業をユーザは行わなくても済む効果がある。
【００３９】
つまり、術前及び／又は術中に、細長い超音波プローブ等をチャンネル内に挿通する作業を行わなくても済むので、その作業に起因して術者および／または器材出し担当者に与えるストレスを解消することができる。
【００４０】
特に本実施の形態のような軟性内視鏡の場合においては、従来では柔軟な超音波プローブを挿入する困難な作業を解消できるという効果がある。
【００４１】
また、軟性内視鏡の場合、湾曲部２２以降の部分を湾曲した状態で発振させても、本実施の形態では、硬質の先端部長の内部に超音波振動系が配置されているので、超音波振動系にストレスを及ぼすことがなく、耐久性を向上でき、従って信頼性も向上できるという効果もある。
また、通常のチャンネルを備えた軟性内視鏡から超音波プローブユニット５を組み込みがし易い構造にしているので、その製造コストを低減化することができる。
【００４２】
また、超音波プローブユニット５の修理や保守も行い易い。つまり、ナット３７を取り外すことにより比較的簡単に超音波プローブユニット５の修理や保守ができる。従って、その費用も低減化できる。
【００４３】
なお、本実施の形態では、先端部本体２８の孔部３２に超音波振動子３５のフランジ部３６を螺合で固定しているが、孔部３２の内側に内周面にネジ孔を設けた図示しない振動子取付枠を接合等して固定するようにしても良い。
なお、本実施の形態では挿入部１３が軟性の軟性内視鏡の構成で説明したが、硬質の挿入部を有する硬性内視鏡にも適用できる。
【００４４】
（第２の実施の形態）
次に本発明の第２の実施の形態を図３を参照して説明する。図３は第２の実施の形態における超音波処置本体１８の先端側の構造を示す。その目的は第１の実施の形態と同様である。
本実施の形態は、第１実施の形態において、超音波プローブユニット５を変形させた超音波プローブユニット５Ｂにした構造である。
【００４５】
図３に示すように、超音波振動子３５等は中実状で形成され、ホーン４０の先端部は鉤型形状をしたフック形状部４５が形成されている。このように本実施の形態では、吸引管路４１を形成していない構造にしている。
その他の構成は第１の実施の形態と同じ構造にしている。従って、第１の実施の形態で説明した部材には、同じ符号を付け、その説明を省略する。
【００４６】
次に本実施の形態の作用を説明する。
基本的には第１実施の形態と同じ作用となる。処置部位の組織にフック部４５を引っ掛け、超音波振動により組織の凝固／切開の処置を行う。
本実施の形態は第１の実施の形態と同じ効果を有する。
【００４７】
尚、ホーン４０の先端部形状はその用途に合わせ、例えば図４のようなヘラ型形状部４６など、さまざまの他の形状のものにしても良い。なお、ヘラ型の場合には中空にしても良い。
【００４８】
（第３の実施の形態）
次に本発明の第３の実施の形態を図５を参照して説明する。図５は第３の実施の形態における超音波処置本体の先端側の構造を示す。その目的は第１の実施の形態と同様である。
本実施の形態は、第１実施の形態において、超音波プローブユニット５の先端側のホーン４０の一部の構成を変形し、処置の用途に応じた超音波処置系を形成できる超音波プローブユニット５Ｃを備えたものにしている。
【００４９】
図５に示す（内視鏡２の）先端部２１には、図２（Ａ）におけるホーン（或いはプローブ）４０の先端側をカットして短くし、その短くしたホーン４０の先端に雌ネジ部５１を形成し、この雌ネジ部５１に処置しようとする用途に応じた各種の（超音波）処置用プローブ部材５２、５３、５４の後端の雄ネジ部５５を装着して使用できるようにしている。
【００５０】
具体的には、処置用プローブ部材５２は中空の管路５６を有し、その後端の雄ネジ部５５を雌ネジ部５１に螺着することにより、第１の実施の形態と同様な機能を有する超音波プローブユニットを構成できる。
【００５１】
また、処置用プローブ部材５３は、その先端の処置部に第２の実施の形態に記載したような中実で先端にフック形状部４５を設けたものである。
また、処置用プローブ部材５４は、その先端の処置部に図４に示したヘラ型形状部４６を設けたものである。
【００５２】
これら処置用プローブ部材５２、５３、５４を雌ネジ部５１に取り付けた場合、超音波振動子３５から処置用プローブ部材５２、５３、５４の先端部までの長さは、第１の実施の形態で説明したように、使用する超音波の波長の１／４波長長さを有するように設定している。
【００５３】
この場合、フランジ部３６付近では振動の節部となり、処置用プローブ部材５２〜５４の先端部で腹部となるように設定され、その中間の雌ネジ部５１は節部に近い方が望ましい。先端部２１の硬質長が長い場合には上記１／４波長の長さの代わりに１／４波長＋１／２波長のようにして雌ネジ部５１の位置を節部にしても良い。
その他の構成は第１の実施の形態と同様の構成である。
【００５４】
次に本実施の形態の作用を説明する。
基本的には第１の実施の形態と同じである。処置しようとする用途に応じて使いたい処置用プローブ部材５２〜５４をホーン４０の先端にに接続し、体腔内に挿入する。術中、処置する用途に変更が生じた場合には、内視鏡２を抜去し、処置用プローブ部材５２〜５４の交換を行う。
【００５５】
本実施の形態は以下の効果を有する。
第１の実施の形態に加えて、用途に応じて最適な処置用プローブ部材５２〜５４の選択／交換が行えるため、１台の装置で様々な処置が行えるという効果がある。
【００５６】
（第４の実施の形態）
次に本発明の第４の実施の形態を図６を参照して説明する。図６は第４の実施の形態における超音波処置本体１８の先端側の構造を示す。その目的は第１の実施の形態と同様である。
本実施の形態は、第２の実施の形態において、超音波プローブユニット５Ｂにおける超音波振動子３５の固定部周辺を変形した構成にした超音波プローブユニット５Ｄにしている。
【００５７】
図６に示すように、超音波振動子３５のホーン４０の後端のフランジ部３６は、略円環形状で回転及び移動される回転＆移動部材（以下では、単に回転部材と略記する）６１にナット３７で螺合で締め付けて固定されている。この回転部材６１の外周面には周溝を設けてＯリング６２が収納され、（内視鏡２の）先端部本体２８の孔部３２の内周面を拡径となるように切り欠いた凹部（拡径部）６３に摩擦力が作用する状態でかつ水密の機能を保つ状態で係合している。
【００５８】
この凹部６３は軸方向にある程度の長さで形成されている。この回転部材６１には回転＆駆動を伝達するワイヤ６４の先端が取り付けられており、このワイヤ６４はチャンネル４内を通り、内視鏡２の操作部側の回転＆移動操作部材６５に連結されている。
【００５９】
この回転＆移動操作部材６５はワイヤ６４の後端が固定された円板６６とこの円板６６の中心軸に取り付けた操作摘み６７を有し、この操作摘み６７を回転すると、回転部材６１も回転でき、また操作摘み６７を前後（図６では左右方向）に移動すると回転部材６１を凹部６３内でその軸方向に前後に移動できるようにしている。その他の構成は基本的に第１実施の形態と同じである。
【００６０】
次に本実施の形態の作用を説明する。
基本的には第２の実施の形態と同じである。操作部側に設けた回転＆移動操作部材６５を回転操作することでワイヤ６４の駆動に連動し、回転部材６１がＯリング６２の摺動摩擦に抗して回転駆動し、その結果、回転部材６１に固定された超音波振動子３５は回転動作する。
【００６１】
つまり、回転操作することでワイヤ６４の駆動に連動し、回転部材６１がＯリング６２の摺動摩擦に抗して回転駆動し、その結果、回転部材６１に固定された超音波振動子３５が回転動作する。
【００６２】
さらに、凹部６３が軸方向に長さを有するため、回転＆移動操作部材６５を前後に移動操作することで、凹部６３の範囲内で回転部材６１は軸方向に前後動し、その結果、回転部材６１に固定された超音波振動子３５は前後に動作する。
【００６３】
凹部６３の軸方向の長さは、回転部材６１が最も操作部側に後退移動した時に、超音波振動子３５に連結されたホーン４０の先端部がチャンネル出口３２内に格納されるよう形成されている。図６の実線はこの状態を示す。
【００６４】
そして、体腔内に挿入したり抜去する場合には、この図６の実線で示すように超音波振動子３５に連結されたホーン４０の先端部がチャンネル出口３２内に格納された状態に設定し、超音波による処置を行うような場合には、２点鎖線で示すように孔部３２からホーン４０の先端側の処置部、この場合にはフック形状部４５を突出させ、その先端を観察視野内に入れて、切開などに適した角度に回転させる等して超音波による処置を行うことができる。
【００６５】
本実施の形態は以下の効果を有する。
第２或いは第１の実施の形態の効果に加え、超音波振動子３５のホーン４０の先端部を回転駆動できるため、処置部位へのより的確なアプローチが可能となり、術者がより処置が行いやすく、またクウォリティの高い処置が行えるという効果を持つ。
【００６６】
さらに、軟性内視鏡と組み合わせて使用すれば、軟性内視鏡の湾曲動作と組み合わせて使用することで、この効果は倍増する。また、軸方向にスライドさせ、処置以外の時はホーン４０の先端部をチャンネル４内に格納することで、（内視鏡２）の挿入部１３の体腔内への挿入時におけるより簡単なアプローチや明瞭な観察視野を確保できるという効果がある。
【００６７】
尚、本実施の形態では、超音波振動子３５に連結したホーン４０の先端形状をフック形状部４５の場合で説明しているが、ヘラ型形状部４６や第３の実施の形態のように多種先端形状をした処置用プローブ部材の着脱式構成のものにしても良い。
【００６８】
（第５の実施の形態）
次に本発明の第５の実施の形態を図７を参照して説明する。図７は第５の実施の形態における超音波処置本体１８の先端側の構造を示す。その目的は第１の実施の形態と同様である。
本実施の形態は、第４の実施の形態を変形した構成にした超音波プローブユニット５Ｅを形成したものである。基本的には図６における回転部材６１の代わりにさらに傾動可能とした関節部材７１を用いると共に、その操作部側ではさらに傾動操作を行えるようにしたものである。
【００６９】
図７に示すように超音波振動子３５が連結固定されたフランジ部３６は、関節部材７１に固定されている。この関節部材７１は略円環形状で、その外周面を球状部７２にし、この球状部７２は、チャンネル出口３２を形成する孔部に設けられた凹部６３に水密を保つ状態で係合している。
【００７０】
この凹部６３は軸方向にある程度の長さを形成している。関節部材７１には関節駆動も行う（例えば４本の）ワイヤ７３が取り付けられていて、このワイヤ７３はチャンネル４内を通り、内視鏡２の操作部側で図示しない関節操作手段に連結されている。この関節操作手段は図６の回転＆移動操作部材６５において、さらに円板６６を傾動可能に支持する手段を有し、操作摘み６７を傾動する操作も行えるようにしている。そして、この操作摘み６７を傾動する操作を行うことにより、関節部材７１を上下、左右等の方向に傾動できるようにしている。
【００７１】
凹部６３の軸方向の長さは、関節部材７１が最も操作部側に後退移動した時に、超音波振動子３５に連結されたホーン４０の先端部がチャンネル４内に格納されるよう形成されている。その他の構成は基本的に第１の実施の形態と同じである。
【００７２】
次に本実施の形態の作用を説明する。
基本的には第４の実施の形態と同じである。関節操作手段を操作することで関節駆動も行うワイヤ７３を互い違いに押し引き操作し、関節部材７１の球状部７２を傾動させる作用により、関節部材７１が関節的に傾動駆動し、その結果、関節部材７１に固定されたフランジ部３６や超音波振動子３５を関節的に傾動動作する。また、フランジ部３６にその後端が連結固定されたホーン４０の先端部が矢印で示すように傾動する。
【００７３】
また、第４の実施の形態で説明したように、凹部６３が軸方向に長さを有するため、関節操作手段を移動する操作をすることで、凹部６３の範囲内で関節部材７１は軸方向に前後動し、その結果、超音波振動子３５やホーン４０は前後に動作する。また、回転させることもできる。
【００７４】
本実施の形態は以下の効果を有する。
第１の実施の形態および第４の実施の形態に加え、第４の実施の形態よりもさらに超音波振動子３５のホーン４０の先端部を任意の方向に傾動駆動できるため、第４の実施の形態で述べた効果がさらに高まる。
さらに、超音波処置だけでなく、超音波振動子３５に連結されたホーン４０の先端を利用した鈍的剥離等の処置も可能となる効果がある。
【００７５】
尚、本実施の形態では、超音波振動子３５に連結したホーン４０の先端形状をヘラ型形状部４６とした場合で示しているが、これに限定されるものでなく、フック形状部４５や第１の実施の形態に記載した中空形状のもの、あるいは、第３の実施の形態のように多種先端形状をした処置用プローブ部材を着脱可能とする着脱式の構成のものでも良い。
【００７６】
（第６の実施の形態）
次に本発明の第６の実施の形態を図８ないし図１０を参照して説明する。図８は第６の実施の形態における超音波処置本体１８の先端側の構造を示し、図９は図８の先端側を斜視図で示し、図１０は観察視野の例を示す。本実施の形態の目的は第１の実施の形態と同様である。
本実施の形態は、第５の実施の形態を変形した構成にして超音波プローブユニット５Ｆを形成したものである。
【００７７】
基本的には、図７において、先端部本体２８にジョー（顎部）８１を設け、傾動可能なロッド状のホーン４０の先端とで、生体組織等を挟んで処置できるようにしたものである。
【００７８】
図８及び図９に示すように超音波振動子３５はこれに連結されたホーン４０の中心軸（Ｚとする）は、傾動操作を行わない状態では対物光学系２６の光軸、つまり円柱形状の先端部２１の軸方向に配置されている。
【００７９】
また、図９に示すようにこの状態では、先端面において、対物光学系２６の中心はその光軸方向と直交する軸（Ｙとする）上にホーン４０の中心が位置するよう配置されている。
【００８０】
さらに、ホーン４０の中心軸Ｚ上で、前記軸Ｙと直交した軸（Ｘとする）上に離間した位置に略板形状のジョー８１の基端が、先端面から軸Ｚ方向に突出するように配置されている。
【００８１】
このジョー８１はホーン４０に対向する面の中央に、例えばホーン４０の先端側の形状に合わせた凹部が形成され、その両側には凹凸部を形成して組織を逃げないように挟み付けることができる形状にしている。このジョー８１は例えばフッ素係樹脂、具体例としてはテフロン（登録商標）などの低摩擦材料でかつ耐熱材料で形成されている。その他は第５の実施の形態と同じである。
【００８２】
次に本実施の形態の作用を説明する。
図１０に示すように観察視野にホーン４０の先端部とジョー８１の像４０′、８１′を観察できるようにして、処置しようとする処置部位側に近づける。そして、ホーン４０の先端部とジョー８１との間に、処置部位の組織を挟み込む。
【００８３】
この場合、第５の実施の形態と同様に、関節操作手段の操作により関節部材７１が関節的に傾動作動することで、ホーン４０の先端部の向きをジョー８１側へ傾けて、ホーン４０の先端部とジョー８１とで組織を握りこむ。
【００８４】
そして、超音波を発振させる操作を行うことにより振動摩擦熱が発生し、把持した組織を凝固、切開することができる。つまり、処置しようとする組織を挟んで保持することで、より確実かつ簡単に凝固、切開等の処置を行うことができる。
【００８５】
本実施の形態は以下の効果を有する。
シザースタイプの超音波処置装置においても、第１の実施の形態と同様の効果を得ることが出来る。
【００８６】
（第７の実施の形態）
次に本発明の第７の実施の形態を図１１を参照して説明する。図１１は第７の実施の形態における超音波処置本体１８の先端側の構造を示す。その目的は第１の実施の形態と同様である。本実施の形態は第１実施の形態の超音波振動子３５を改良する例である。
【００８７】
図１１に示すように超音波振動子３５に連結されたホーン４０には、フランジ部３６よりも先端側に、中空上の吸引管路１０と連通した少なくとも一つの小孔８２を有しており、少なくとも一つの小孔８２は対物光学系２６と対向した位置に配置されている。その他の構成は、第１の実施の形態と同じである。
【００８８】
次に本実施の形態の作用を説明する。
超音波処置中、組織周辺にある水分がミストとして飛散する場合があり、このミストを小孔８２より吸引回収する。
【００８９】
本実施の形態は以下の効果を有する。
第１の実施の形態の効果に加え、ミストの回収が可能なため、より良好な視野を確保出来るという効果を有する。
【００９０】
内視鏡の対物光学系２６の洗滌手段と組み合わせた場合、洗滌液を自動的に吸引回収可能であり、より良好な視野を確保できるだけでなく、吸引操作が不要で術者の作業性を向上できる効果を有する。さらに、レンズ周辺の空気も吸引循環できるため、対物光学系２６の曇りを防止できるという効果を有する。
なお、上述した各実施の形態等を部分的に組み合わせる等して形成される実施の形態等も本発明に属する。
【００９１】
［付記］
１．請求項１において、前記振動伝達手段は１／４波長からなる。
２．請求項１において、前記振動伝達手段は中空状の管路を有する。
３．請求項１において、前記振動伝達手段は中実である。
【００９２】
４．請求項１において、前記振動伝達手段は中実で先端部がフック形状である。
５．請求項１において、前記振動伝達手段は中実で先端部がヘラ型形状である。
６．請求項１において、前記超音波振動ユニットは、前記先端部に設けたチャンネルに連通する孔部内に保持される。
【００９３】
７．付記６において、前記超音波振動ユニットは、前記チャンネルに挿通される可撓性のケーブルと接続される。
【００９４】
８．付記６において、前記超音波振動ユニットは、前記チャンネルに挿通される可撓性のチューブと接続される。
【００９５】
９．請求項１において、前記挿入部は軟性であり、前記超音波振動ユニットは、前記挿入部の硬質の先端部内に保持される。
【００９６】
１０．被検体に挿入可能で、先端部に観察光学系を設けた挿入部と、
前記挿入部内に挿通され、処置具を挿通可能とするチャンネルと、
を備えた内視鏡と；
超音波振動を発生する超音波振動子と、
前記超音波振動子で発生する超音波振動を伝達可能に前記超音波振動子と結合されると共に、前記被検体に対して処置可能に前記先端部から突出する突出部を有する振動伝達手段と、
前記超音波振動子及び前記振動伝達手段と、
を備えた超音波振動ユニットと；
前記超音波振動ユニットを前記先端部における前記チャンネルに連通する孔部に位置決め固定する固定手段と、
からなることを特徴とする超音波処置装置。
【００９７】
１１．請求項２において、前記前記超音波プローブに着脱可能であり、着脱部は振動の節となる。
【００９８】
１２．請求項２において、前記超音波プローブが１／４波長からなる。
１３．請求項２において、前記超音波プローブは中空状であり、前記超音波振動子も中空状である。
１４．請求項２において、前記超音波プローブは、先端部がフック形状をした中実部材からなり、前記超音波振動子は中実また中空状である。
【００９９】
１５．請求項２において、前記超音波プローブは、先端部がヘラ形状をした中実部材からなり、前記超音波振動子は中実また中空状である。
１６．請求項２において、前記超音波振動子が前記先端部に設けた孔部に対して回転可能な回転手段に固定され、回転手段に連結された回転駆動手段を介して連結した回転操作手段により回転可能にした。
１７．請求項２において、前記超音波振動子が前記先端部に設けた孔部に対して関節的に稼動可能な関節手段に固定され、関節手段に連結された関節駆動手段を介して連結された関節操作手段により傾動可能にした。
【０１００】
１８．請求項２において、前記超音波振動子が前記先端部に設けた孔部の軸方向に移動可能であり、少なくとも最も先端側に移動した時に、前記超音波プローブの先端部が観察視野内に位置し、最も後端側に移動した時に、前記超音波プローブの先端部が前記孔部内に格納される範囲で移動可能である。
１９．請求項２において、前記超音波プローブが、前記先端部の先端面において、同一中心軸上に観察光学系と配置され、前記超音波プローブの中心軸と、前記同一中心軸と直交する軸上にジョーを配置した。
２０．請求項２において、前記超音波プローブが軸方向に伸びる中空管路を有し、前記超音波振動子の前記先端部内への固定部よりも前方位置に少なくとも一つの前記中空管路と連通する小孔を有する。
【０１０１】
２１．内視鏡と、電気的信号を機械的振動に変換する超音波振動子とからなり、前記内視鏡は前記超音波振動子が挿入可能なチャンネルと、前記超音波振動子の先端部が前記内視鏡の視野内に入る位置で、前記超音波振動子の少なくとも一部が前記チャンネルに配置されていることを特徴とする、内視鏡観察下にて処置を行うための超音波処置装置。
【０１０２】
２２．内視鏡と、電気的信号を機械的振動に変換する超音波振動子と、前記超音波振動子で発生した超音波振動を伝達する、前記超音波振動子に接続された超音波プローブからなり、前記内規鏡は前記超音波振動子および超音波プローブが挿入可能なチャンネルと、前記超音波プローブの先端部が前記内視鏡の視野内に入る位置で、前記超音波振動子の少なくとも一部が前記内視鏡のチャンネルに配置されていることを特徴とする、内視鏡観察下にて処置を行うための超音波処置装置。
【０１０３】
２３．付記２１又は２２において、前記超音波振動子が１／４波長からなる。
２４．付記２１において、前記超音波振動子が中空状の管路を有する。
２５．付記２１において、前記超音波振動子が中実である。
２６．付記２１において、前記超音波振動子が中実で先端部がフック形状である。
【０１０４】
２７．付記２１において、前記超音波振動子が中実で先端部がヘラ型形状である。
２８．付記２２において、前記超音波プローブが前記超音波振動子に着脱可能であり、着脱部は振動の節である。
２９．付記２１又は２８において、前記超音波プローブが１／４波長からなる。
３０．付記２２又は２８において、前記超音波プローブは中空状であり、この場合、前記超音波振動子は中空状である。
【０１０５】
３１．付記２２又は２８において、前記超音波プローブは、先端部がフック形状をした中実部材からなり、この場合、前記超音波振動子は中実また中空状である。
３２．付記２２又は２８において、前記超音波プローブは、先端部がヘラ形状をした中実部材からなり、この場合、前記超音波振動子は中実また中空状である。
３３．付記２２又は２８において、前記超音波振動子が、前記内視鏡の前記チャンネルに対して回転可能な回転手段に固定され、回転手段に連結された回転駆動手段と、回転駆動手段と連結した回転操作手段とを有する。
【０１０６】
３４．付記２１、２２、２８において、前記超音波振動子が、前記内視鏡のチャンネルに対して関節的に稼動可能な関節手段に固定され、関節手段に連結された関節駆動手段と、関節駆動手段に連結された関節操作手段を有する。
３５．付記２１、２２、２８において、前記超音波振動子が前記内視鏡の前記チャンネル内で、前記チャンネルの軸方向に移動可能であり、少なくとも最も先端側に移動した時に、前記超音波振動子または前記超音波プローブの先端部が前記内視鏡の視野内に位置し、最も後端側に移動した時に、前記超音波振動子または前記超音波プローブの先端部が前記内視鏡の前記チャンネル内に格納される範囲で移動可能である。
【０１０７】
３６．付記３４において、前記超音波振動子および／または前記超音波プローブが、前記内視鏡の先端面において、同一中心軸上に前記内視鏡の観察光学系と配置され、前記超音波振動子および／または前記超音波プローブの中心軸と、前記同一中心軸と直交する軸上にジョーを配置したことを特徴とする。
３７．付記２１、２２、２８において、前記超音波振動子もしくは、前記超音波振動子と前記超音波振動子に接続可能な前記超音波プローブが軸方向に伸びる中空管路を有し、前記超音波振動子の前記内視鏡のチャンネルへの固定部よりも前方位置に少なくとも一つの前記中空管路と連通する小孔を有する。
【０１０８】
【発明の効果】
以上説明したように本発明によれば、超音波振動子を内視鏡に内蔵させたことにより、超音波処置具の内視鏡の先端部への位置決めや超音波処置具のチャンネル内への挿通作業も不要にできる。
【０１０９】
さらには、観察光学系の視野内への位置決め作業を不要となり、困難で煩雑な超音波処置具の挿入作業を解消するとともに、挿入作業による術者などのストレスを回避できる。また、軟性内視鏡との組み合わせにおいて、超音波振動系に応力をかけることがないため、耐久面も良い、従ってより信頼性の高い超音波処置装置を実現できる。
【図面の簡単な説明】
【図１】本発明の第１の実施の形態の超音波処置装置の全体構成図。
【図２】図１の先端部側を拡大した断面及び正面を示す図。
【図３】本発明の第２の実施の形態における超音波処置装置本体の先端側の構造を示す断面図。
【図４】変形例における超音波処置装置本体の先端側の構造を示す斜視図。
【図５】本発明の第３の実施の形態における超音波処置装置本体の先端側の構造を示す断面図。
【図６】本発明の第４の実施の形態における超音波処置装置本体の先端側の構造を示す断面図。
【図７】本発明の第５の実施の形態における超音波処置装置本体の先端側の構造を示す断面図。
【図８】本発明の第６の実施の形態における超音波処置装置本体の先端側の構造を示す断面図。
【図９】超音波処置装置本体の先端側の構造を示す斜視図。
【図１０】観察視野の具体例を示す図。
【図１１】本発明の第７の実施の形態における超音波処置装置本体の先端側の構造を示す斜視図。
【符号の説明】
１…超音波処置装置
２…内視鏡
３…光源装置
４…チャンネル
５…超音波プローブユニット
６…信号ケーブル
８…超音波駆動装置
９…チューブ
１１…吸引装置
１３…挿入部
１４…操作部
１８…超音波処置装置本体
２１…先端部
２６…対物光学系（観察光学系）
２８…先端部本体
３１…チューブ
３２…孔部
３５…超音波振動子
３６…フランジ部
３７…ナット
４０…ホーン
４１…吸引管路
【図１】
2004000336.tif 000003
【図２】
2004000336.tif 000004
【図３】
2004000336.tif 000005
【図４】
2004000336.tif 000006
【図５】
2004000336.tif 000007
【図６】
2004000336.tif 000008
【図７】
2004000336.tif 000009
【図８】
2004000336.tif 000010
【図９】
2004000336.tif 000011
【図１０】
2004000336.tif 000012
【図１１】
2004000336.tif 000013